(57)【要約】【課題】  最適な送金ルートで送金処理を行う送金代行サーバー【解決手段】  送金代行サーバーは、端末を介してログインした後に入力された送金情報であって、送金先金融機関と第１送金金額に関する情報を含むものを受信する通信部と、金融機関の送金手数料に関する金融機関情報を記録する記録部と、金融機関情報と送金情報とに基づいて、複数の送金代行金融機関の中から、決済口座用金融機関から送金先金融機関へ第１送金金額を送金する際に経由する金融機関を選定する制御部とを備える。送金情報を受信した後、送金代行サーバーは、決済口座用金融機関サーバーに対して、決済口座用金融機関から、複数の送金代行金融機関のうち選定された送金代行金融機関への第１次送金処理に関する送金指示を行い、選定された送金代行金融機関サーバーに対して、選定された送金代行金融機関から、送金先金融機関への第２次送金処理に関する送金指示を行う。【選択図】図１
2017199048.tif 000002
【特許請求の範囲】
【請求項１】
端末を介してログインした後に入力された送金情報であって、送金先金融機関と第１送金金額に関する情報を含むものを受信する通信部と、
金融機関の送金手数料に関する金融機関情報を記録する記録部と、
前記金融機関情報と前記送金情報とに基づいて、複数の送金代行金融機関の中から、決済口座用金融機関から前記送金先金融機関へ前記第１送金金額を送金する際に経由する金融機関を選定する制御部とを備えた送金代行サーバーであって、
前記送金情報を受信した後であって、第１時刻に、前記決済口座用金融機関の口座の残高が、前記第１送金金額に所定の手数料を加えた第２送金金額以上である場合に、前記送金代行サーバーは、前記決済口座用金融機関のサーバーである決済口座用金融機関サーバーに対して、前記決済口座用金融機関から、前記複数の送金代行金融機関のうち前記選定された送金代行金融機関への第１次送金処理に関する送金指示を行い、
前記第１時刻から所定時間が経過した第２時刻に、前記送金代行サーバーは、前記選定された送金代行金融機関のサーバーである送金代行金融機関サーバーに対して、前記選定された送金代行金融機関から、前記送金先金融機関への第２次送金処理に関する送金指示を行うことを特徴とする送金代行サーバー。
【請求項２】
前記決済口座用金融機関の口座に送金した送金元の金融機関の口座の振込依頼人名で、前記第２次送金処理が行われることを特徴とする請求項１に記載の送金代行サーバー。
【請求項３】
端末を介してログインした後に入力された送金情報であって、送金先金融機関と第１送金金額に関する情報を含むものを受信する受信ステップと、
金融機関の送金手数料に関する金融機関情報と前記送金情報とに基づいて、複数の送金代行金融機関の中から、決済口座用金融機関から前記送金先金融機関へ前記第１送金金額を送金する際に経由する金融機関を選定する選定ステップと、
前記送金情報を受信した後であって、第１時刻に、前記決済口座用金融機関の口座の残高が、前記第１送金金額に所定の手数料を加えた第２送金金額以上である場合に、前記決済口座用金融機関のサーバーである決済口座用金融機関サーバーに対して、前記決済口座用金融機関から、前記複数の送金代行金融機関のうち前記選定ステップで選定された送金代行金融機関への第１次送金処理に関する送金指示を行う第１送金ステップと、
前記第１時刻から所定時間が経過した第２時刻に、前記選定ステップで選定された送金代行金融機関のサーバーである送金代行金融機関サーバーに対して、前記設定ステップで選定された送金代行金融機関から、前記送金先金融機関への第２次送金処理に関する送金指示を行う第２送金ステップとを備えることを特徴とする送金代行プログラム。
【発明の詳細な説明】
【技術分野】
【０００１】
本発明は、送金代行サーバーなどに関する。
【背景技術】
【０００２】
特許文献１などで、送金代行システム（振込代行管理システム）が提案されている。
【先行技術文献】
【特許文献】
【０００３】
【特許文献１】特開２００７−０１１５４９号公報
【発明の概要】
【発明が解決しようとする課題】
【０００４】
しかしながら、送金処理で使用する金融機関は一定であり、送金先の金融機関によっては、送金手数料が割高になる可能性がある。
【０００５】
したがって本発明の目的は、送金先の金融機関に応じて最適な送金ルートで送金処理を行う送金代行サーバーなどを提供することである。
【課題を解決するための手段】
【０００６】
本発明に係る送金代行サーバーは、端末を介してログインした後に入力された送金情報であって、送金先金融機関と第１送金金額に関する情報を含むものを受信する通信部と、金融機関の送金手数料に関する金融機関情報を記録する記録部と、金融機関情報と送金情報とに基づいて、複数の送金代行金融機関の中から、決済口座用金融機関から送金先金融機関へ第１送金金額を送金する際に経由する金融機関を選定する制御部とを備えた送金代行サーバーであって、送金情報を受信した後であって、第１時刻に、決済口座用金融機関の口座の残高が、第１送金金額に所定の手数料を加えた第２送金金額以上である場合に、送金代行サーバーは、決済口座用金融機関のサーバーである決済口座用金融機関サーバーに対して、決済口座用金融機関から、複数の送金代行金融機関のうち選定された送金代行金融機関への第１次送金処理に関する送金指示を行い、第１時刻から所定時間が経過した第２時刻に、送金代行サーバーは、選定された送金代行金融機関のサーバーである送金代行金融機関サーバーに対して、選定された送金代行金融機関から、送金先金融機関への第２次送金処理に関する送金指示を行う。
【０００７】
複数の送金代行金融機関の中から選定した送金代行金融機関を経由した送金処理（第１次送金処理と第２次送金処理）を行うことにより、送金先の金融機関に応じて最適な送金ルートで送金処理を行って、送金先金融機関へ直接送金処理を行うよりも、低額の送金手数料で、送金手続きを行うことも可能になる。
【０００８】
好ましくは、決済口座用金融機関の口座に送金した送金元の金融機関の口座の振込依頼人名で、第２次送金処理が行われる。
【０００９】
本発明に係る送金代行プログラムは、端末を介してログインした後に入力された送金情報であって、送金先金融機関と第１送金金額に関する情報を含むものを受信する受信ステップと、金融機関の送金手数料に関する金融機関情報と送金情報とに基づいて、複数の送金代行金融機関の中から、決済口座用金融機関から送金先金融機関へ第１送金金額を送金する際に経由する金融機関を選定する選定ステップと、送金情報を受信した後であって、第１時刻に、決済口座用金融機関の口座の残高が、第１送金金額に所定の手数料を加えた第２送金金額以上である場合に、決済口座用金融機関のサーバーである決済口座用金融機関サーバーに対して、決済口座用金融機関から、複数の送金代行金融機関のうち選定ステップで選定された送金代行金融機関への第１次送金処理に関する送金指示を行う第１送金ステップと、第１時刻から所定時間が経過した第２時刻に、選定ステップで選定された送金代行金融機関のサーバーである送金代行金融機関サーバーに対して、設定ステップで選定された送金代行金融機関から、送金先金融機関への第２次送金処理に関する送金指示を行う第２送金ステップとを備える。
【発明の効果】
【００１０】
以上のように本発明によれば、送金先の金融機関に応じて最適な送金ルートで送金処理を行う送金代行サーバーなどを提供することができる。
【図面の簡単な説明】
【００１１】
【図１】本実施形態における送金代行システムの構成図である。
【図２】送金代行サーバーが実行する送金代行プログラムの手順を示すフローチャートである。
【発明を実施するための形態】
【００１２】
以下、本実施形態について、図を用いて説明する。本実施形態における送金代行システム１は、利用者端末１１、承認者端末１２、送金代行サーバー３０（通信部３１、記録部３３、制御部３５）、利用者金融機関サーバー１０Ｓ、決済口座用金融機関サーバー２０Ｓ、第１送金代行金融機関サーバー３１Ｓ〜第４送金代行金融機関サーバー３４Ｓ、送金先金融機関サーバー４０Ｓを備える（図１参照）。
なお、送金代行金融機関サーバーの数は２台以上あればよく、４台に限るものではない。
【００１３】
利用者端末１１や承認者用端末１２は、キーボードやポインティングデバイスやカメラやマイクなどの入力装置、ＣＰＵなどの制御装置、ネットワーク接続（インターネット網を介した接続）を行うための通信装置、表示装置やスピーカーやプリンターなどの出力装置を有するコンピュータ（携帯情報端末を含む）である。
【００１４】
利用者端末１１は、利用者のＩＤやパスワードを使って、送金代行サーバー３０にアクセスしてログインし、ログイン後の操作画面で送金情報（送金先の金融機関コード、支店コード、口座番号、第１送金金額を含む送金情報）を入力するのに使用される。
【００１５】
ここでいう第１送金金額は、送金先金融機関Ｂ４０に振込される金額である。
【００１６】
承認者端末１２は、承認者のＩＤやパスワードを使って、送金代行サーバー３０にアクセスしてログインし、ログイン後の操作画面で送金情報の承認情報を入力するのに使用される。
【００１７】
送金代行サーバー３０は、ＣＰＵなどの制御装置（制御部３５）、ネットワーク接続（インターネット網を介した接続、金融機関との専用回線を介した接続））を行うための通信装置（通信部３１）、表示装置やスピーカーやプリンターなどの出力装置、金融機関の送金手数料に関する情報（金融機関情報）を記録した記録装置（記録部３３）を有するコンピュータである。
記録部３３には、本実施形態の送金代行プログラムがインストールされ、送金代行サーバー３０は、当該送金代行プログラムを実行する。
【００１８】
送金代行プログラムでは、利用者端末１１を介した送金情報入力、承認者端末１２を介した送金情報の承認情報入力、利用者金融機関Ｂ１０から決済口座用金融機関Ｂ２０への送金処理（第０次送金処理）の後、決済口座用金融機関Ｂ２０から送金する送金代行金融機関（第１送金代行金融機関Ｂ３１〜第４送金代行金融機関Ｂ３４のいずれか）の選定、決済口座用金融機関Ｂ２０から選定した送金代行金融機関（第１送金代行金融機関Ｂ３１〜第４送金代行金融機関Ｂ３４のいずれか）への送金処理（第１次送金処理）に関する送金指示、選定した送金代行金融機関（第１送金代行金融機関Ｂ３１〜第４送金代行金融機関Ｂ３４のいずれか）から送金先金融機関Ｂ４０への送金処理（第２次送金処理）に関する送金指示が行われる。
【００１９】
当該送金代行プログラムの実行中、送金代行サーバー３０は、利用者端末１１や承認者端末１２からのアクセスを受け、ログイン画面、ログイン後の操作画面などを利用者端末１１に表示させる。
【００２０】
利用者端末１１を介して、送金情報が入力されると、送金代行サーバー３０は、送金情報を含む第１メッセージを承認者に対応するメールアドレス（若しくは携帯電話番号）に送信するか、承認者のＩＤやパスワードを使ってログインされた後の操作画面上に表示させるかの少なくとも一方を行う（受信ステップ、図２のステップＳ１１、Ｓ１２参照）。
【００２１】
承認者端末１２を介して、送金情報の承認情報が入力されると、送金代行サーバー３０は、送金情報が承認されたことを含む第２メッセージと、決済口座用金融機関Ｂ２０の口座の残高が当該送金情報に含まれる第２送金金額以上になるように送金手続きを促す第３メッセージを利用者に対応するメールアドレス（若しくは携帯電話番号）に送信するか、利用者のＩＤやパスワードを使ってログインされた後の操作画面上に表示させるかの少なくとも一方を行う（図２のステップＳ１３、Ｓ１４参照）。
【００２２】
ここでいう第２送金金額は、送金先金融機関Ｂ４０に振込される金額（第１送金金額）に所定の手数料を加えたものである。
当該所定の手数料は、決済口座用金融機関Ｂ２０から第１送金代行金融機関Ｂ３１〜第４送金代行金融機関Ｂ３４のいずれかへの送金手数料と、第１送金代行金融機関Ｂ３１〜第４送金代行金融機関Ｂ３４のいずれかから送金先金融機関Ｂ４０への送金手数料を合算した金額より多い金額に設定される。
【００２３】
利用者金融機関サーバー１０Ｓは、利用者、承認者、若しくはそのいずれか一方が所属する組織（送金依頼者）の口座が属する金融機関（利用者金融機関Ｂ１０）のサーバーである。
【００２４】
利用者金融機関サーバー１０Ｓは、利用者など利用者金融機関Ｂ１０に所属する者以外の者がネットワークを介して利用者金融機関サーバー１０Ｓにアクセスして行う送金指示や、利用者など利用者金融機関Ｂ１０に所属する者以外の者が現金自動預け払い機（ＡＴＭ：Ａｕｔｏｍａｔｉｃ  Ｔｅｌｌｅｒ  Ｍａｃｈｉｎｅ）に入力操作して行う送金指示や、利用者金融機関Ｂ１０のオペレーターが入力操作して行う送金指示に基づいて、利用者金融機関Ｂ１０から決済口座用金融機関サーバー２０Ｓに対応する決済口座用金融機関Ｂ２０への送金処理（第０次送金処理）を行い、第０次送金処理に関する情報を決済口座用金融機関サーバー２０Ｓに送信する。
【００２５】
第０次送金処理に関する送金指示は、決済口座用金融機関Ｂ２０の金融機関コード、支店コード、口座番号、第２送金金額を含む。
【００２６】
決済口座用金融機関サーバー２０Ｓは、送金代行サーバー３０の管理者、若しくは当該管理者が所属する組織の口座（所定口座）が属する金融機関（決済口座用金融機関Ｂ２０）のサーバーである。
決済口座用金融機関サーバー２０Ｓは、利用者金融機関サーバー１０Ｓから、第０次送金処理に関する情報を受信する。
【００２７】
承認者端末１２を介して、送金情報の承認情報が入力された後、第１時刻（例えば、１１時）に、送金代行サーバー３０は、専用回線若しくはネットワークを介して、決済口座用金融機関サーバー２０Ｓにアクセスし、決済口座用金融機関Ｂ２０の所定口座の残高が第２送金金額以上であることを確認し、決済口座用金融機関サーバー２０Ｓに第１次送金処理に関する送金指示を行う（図２のステップＳ１５、Ｓ１７参照）。
決済口座用金融機関Ｂ２０の所定口座の残高が第２送金金額以上でない場合は、送金代行サーバー３０は、決済口座用金融機関Ｂ２０の口座の残高が当該送金情報に含まれる第２送金金額以上になっておらず、送金手続きを促す第４メッセージを利用者に対応するメールアドレス（若しくは携帯電話番号）に送信するか、利用者のＩＤやパスワードを使ってログインされた後の操作画面上に表示させるかの少なくとも一方を行う（図２のステップＳ１５、Ｓ１６参照）。
【００２８】
第１次送金処理に関する送金指示は、選定した送金代行金融機関（第１送金代行金融機関Ｂ３１〜第４送金代行金融機関Ｂ３４のいずれか）の金融機関コード、支店コード、口座番号、第２送金金額を含む。
【００２９】
また、送金代行サーバー３０の制御部３５は、利用者端末１１を介して入力された送金情報と記録部３３に記録された金融機関情報に基づいて、第１送金代行金融機関Ｂ３１〜第４送金代行金融機関Ｂ３４の中から、決済口座用金融機関Ｂ２０から送金先金融機関Ｂ４０へ第１送金金額を送金する際に経由する金融機関を選定する（選定ステップ、図２のステップＳ１７参照）。
【００３０】
金融機関情報は、送金元の金融機関から送金先の金融機関への送金ルートごとの送金手数料、送金元の金融機関の預金残高や金融商品残高に応じた送金手数料、振込回数に応じた送金手数料に関する情報を含む。
【００３１】
制御部３５は、当該選定として、決済口座用金融機関Ｂ２０から第１送金代行金融機関Ｂ３１へ第２送金金額の送金（第１次送金処理）を行い、第１送金代行金融機関Ｂ３１から送金先金融機関Ｂ４０へ第１送金金額の送金（第２次送金処理）を行った場合の送金手数料の合計と、決済口座用金融機関Ｂ２０から第２送金代行金融機関Ｂ３２へ第２送金金額の送金（第１次送金処理）を行い、第２送金代行金融機関Ｂ３２から送金先金融機関Ｂ４０へ第１送金金額の送金（第２次送金処理）を行った場合の送金手数料の合計と、決済口座用金融機関Ｂ２０から第３送金代行金融機関Ｂ３３へ第２送金金額の送金（第１次送金処理）を行い、第３送金代行金融機関Ｂ３３から送金先金融機関Ｂ４０へ第１送金金額の送金（第２次送金処理）を行った場合の送金手数料の合計と、決済口座用金融機関Ｂ２０から第４送金代行金融機関Ｂ３４へ第２送金金額の送金（第１次送金処理）を行い、第４送金代行金融機関Ｂ３４から送金先金融機関Ｂ４０へ第１送金金額の送金（第２次送金処理）を行った場合の送金手数料の合計とを比較して、当該送金手数料の合計が最も少ない送金代行金融機関（本実施形態では、第３送金代行金融機関Ｂ３３）を選定する。
【００３２】
送金代行サーバー３０は、決済口座用金融機関サーバー２０Ｓに対して、決済口座用金融機関Ｂ２０から、選定された金融機関（ここでは、第３送金代行金融機関Ｂ３３）への送金処理（第１次送金処理）に関する送金指示を行う（第１送金ステップ、図２のステップＳ１７参照）。
【００３３】
決済口座用金融機関サーバー２０Ｓは、送金代行サーバー３０による送金指示に基づいて、第１送金代行金融機関サーバー３１Ｓ〜第４送金代行金融機関サーバー３４Ｓに対応する第１送金代行金融機関Ｂ３１〜第４送金代行金融機関Ｂ３４のいずれかに対して第１次送金処理を行い、第１次送金処理に関する情報を第１送金代行金融機関サーバー３１Ｓ〜第４送金代行金融機関サーバー３４Ｓのうち第１次送金処理を行った金融機関に対応するものに送信する。
【００３４】
第１次送金処理に関する送金指示が行われた場合、第１時刻から所定時間が経過した第２時刻（例えば、１２時）に、送金代行サーバー３０は、専用回線若しくはネットワークを介して、第１送金代行金融機関サーバー３１Ｓ〜第４送金代行金融機関サーバー３４Ｓのうち第１次送金処理を行った金融機関に対応するものにアクセスし、第２次送金処理に関する送金指示を行う（第２送金ステップ、図２のステップＳ１８参照）。
【００３５】
なお、第１時刻や第２時刻は、本実施形態のように１日に一回だけ設定される形態でもよいし、複数回設定される形態であってもよい。
【００３６】
第１送金代行金融機関サーバー３１Ｓは、送金代行サーバー３０の管理者、若しくは当該管理者が所属する組織の口座が属する金融機関（第１送金代行金融機関Ｂ３１）のサーバーである。
【００３７】
第１送金代行金融機関サーバー３１Ｓは、決済口座用金融機関サーバー２０Ｓから、第１次送金処理に関する情報を受信した場合に、送金代行サーバー３０が専用回線若しくはネットワークを介して第１送金代行金融機関サーバー３１Ｓにアクセスして行う送金指示に基づいて、決済口座用金融機関Ｂ２０の口座に送金した送金元の金融機関（利用者金融機関Ｂ１０）の振込依頼人名で、第１送金代行金融機関Ｂ３１から、送金先金融機関サーバー４０Ｓに対応する送金先金融機関Ｂ４０への送金処理（第２次送金処理）を行い、第２次送金処理に関する情報を送金先金融機関サーバー４０Ｓに送信する。
【００３８】
第２送金代行金融機関サーバー３２Ｓは、送金代行サーバー３０の管理者、若しくは当該管理者が所属する組織の口座が属する金融機関（第２送金代行金融機関Ｂ３２）のサーバーである。
【００３９】
第２送金代行金融機関サーバー３２Ｓは、決済口座用金融機関サーバー２０Ｓから、第１次送金処理に関する情報を受信した場合に、送金代行サーバー３０が専用回線若しくはネットワークを介して第２送金代行金融機関サーバー３２Ｓにアクセスして行う送金指示に基づいて、決済口座用金融機関Ｂ２０の口座に送金した送金元の金融機関（利用者金融機関Ｂ１０）の振込依頼人名で、第２送金代行金融機関Ｂ３２から、送金先金融機関サーバー４０Ｓに対応する送金先金融機関Ｂ４０への送金処理（第２次送金処理）を行い、第２次送金処理に関する情報を送金先金融機関サーバー４０Ｓに送信する。
【００４０】
第３送金代行金融機関サーバー３３Ｓは、送金代行サーバー３０の管理者、若しくは当該管理者が所属する組織の口座が属する金融機関（第３送金代行金融機関Ｂ３３）のサーバーである。
【００４１】
第３送金代行金融機関サーバー３３Ｓは、決済口座用金融機関サーバー２０Ｓから、第１次送金処理に関する情報を受信した場合に、送金代行サーバー３０が専用回線若しくはネットワークを介して第３送金代行金融機関サーバー３３Ｓにアクセスして行う送金指示に基づいて、決済口座用金融機関Ｂ２０の口座に送金した送金元の金融機関（利用者金融機関Ｂ１０）の振込依頼人名で、第３送金代行金融機関Ｂ３３から、送金先金融機関サーバー４０Ｓに対応する送金先金融機関Ｂ４０への送金処理（第２次送金処理）を行い、第２次送金処理に関する情報を送金先金融機関サーバー４０Ｓに送信する。
【００４２】
第４送金代行金融機関サーバー３４Ｓは、送金代行サーバー３０の管理者、若しくは当該管理者が所属する組織の口座が属する金融機関（第４送金代行金融機関Ｂ３４）のサーバーである。
【００４３】
第４送金代行金融機関サーバー３４Ｓは、決済口座用金融機関サーバー２０Ｓから、第１次送金処理に関する情報を受信した場合に、送金代行サーバー３０が専用回線若しくはネットワークを介して第４送金代行金融機関サーバー３４Ｓにアクセスして行う送金指示に基づいて、決済口座用金融機関Ｂ２０の口座に送金した送金元の金融機関（利用者金融機関Ｂ１０）の振込依頼人名で、第４送金代行金融機関Ｂ３４から、送金先金融機関サーバー４０Ｓに対応する送金先金融機関Ｂ４０への送金処理（第２次送金処理）を行い、第２次送金処理に関する情報を送金先金融機関サーバー４０Ｓに送信する。
【００４４】
第１送金代行金融機関Ｂ３１〜第４送金代行金融機関Ｂ３４は、異なる金融機関である。
利用者金融機関Ｂ１０と、決済口座用金融機関Ｂ２０と、第１送金代行金融機関Ｂ３１と、送金先金融機関Ｂ４０とは、同じ金融機関であっても良いし、異なる金融機関であってもよい。
利用者金融機関Ｂ１０と、決済口座用金融機関Ｂ２０と、第２送金代行金融機関Ｂ３２と、送金先金融機関Ｂ４０とは、同じ金融機関であっても良いし、異なる金融機関であってもよい。
利用者金融機関Ｂ１０と、決済口座用金融機関Ｂ２０と、第３送金代行金融機関Ｂ３３と、送金先金融機関Ｂ４０とは、同じ金融機関であっても良いし、異なる金融機関であってもよい。
利用者金融機関Ｂ１０と、決済口座用金融機関Ｂ２０と、第４送金代行金融機関Ｂ３４と、送金先金融機関Ｂ４０とは、同じ金融機関であっても良いし、異なる金融機関であってもよい。
【００４５】
第２次送金処理に関する送金指示は、送金先金融機関Ｂ４０の金融機関コード、支店コード、口座番号、第１送金金額、決済口座用金融機関Ｂ２０の口座に送金した送金元の金融機関（利用者金融機関Ｂ１０）の振込依頼人名を含む。
【００４６】
送金先金融機関サーバー４０Ｓは、送金先の口座が属する金融機関（送金先金融機関Ｂ４０）のサーバーである。
送金先金融機関サーバー４０Ｓは、第１送金代行金融機関サーバー３１Ｓ〜第４送金代行金融機関サーバー３４Ｓのうち第１次送金処理した金融機関に対応するものから、第２次送金処理に関する情報を受信する。
【００４７】
複数の送金代行金融機関（ここでは、第１送金代行金融機関Ｂ３１〜第４送金代行金融機関Ｂ３４）の中から選定した送金代行金融機関（ここでは、第３送金代行金融機関Ｂ３３）を経由した送金処理（第１次送金処理と第２次送金処理）を行うことにより、送金先の金融機関に応じて最適な送金ルートで送金処理を行って、利用者金融機関Ｂ１０から送金先金融機関Ｂ４０へ直接送金処理を行うよりも、低額の送金手数料で、利用者金融機関Ｂ１０から送金先金融機関Ｂ４０への送金手続きを行うことも可能になる。
【符号の説明】
【００４８】
１  送金代行システム
１１  利用者端末
１２  承認者端末
３０  送金代行サーバー
３１  通信部
３３  記録部
３５  制御部
１０Ｓ  利用者金融機関サーバー
２０Ｓ  決済口座用金融機関サーバー
３１Ｓ  第１送金代行金融機関サーバー
３２Ｓ  第２送金代行金融機関サーバー
３３Ｓ  第３送金代行金融機関サーバー
３４Ｓ  第４送金代行金融機関サーバー
Ｂ１０  利用者金融機関
Ｂ２０  決済口座用金融機関
Ｂ３１  第１送金代行金融機関
Ｂ３２  第２送金代行金融機関
Ｂ３３  第３送金代行金融機関
Ｂ３４  第４送金代行金融機関
【図１】
2017199048.tif 000003
【図２】
2017199048.tif 000004